(57)【要約】【課題】布製のソフトバッグにも簡単に着脱でき、取り扱いが容易であると共に、雑誌などを簡単に保持させることができ、しかもケースが開けられて収納物が盗まれるのを抑止する効果を見込めると共に、目印効果にも優れる旅行ケース用伸縮性ネットベルトを提供する。【解決手段】スーツケース１の外周面に着脱自在に装着する伸縮性ネットベルト5であって、筒状に形成された弾性ネット３から構成されている。弾性ネットは、伸縮性の弾性紐4をネット状に編成したものである。また、シート状の弾性ネットをスーツケース１の外周面に巻きつけ、両端を止着具で着脱自在に接続するようにしてもよい。【選択図】図１
0003138714.tif 000002
【実用新案登録請求の範囲】
【請求項１】
旅行ケースの外周面に着脱自在に装着するためのネットベルトであって、筒状に形成された弾性ネットから構成されていることを特徴とする旅行ケース用伸縮性ネットベルト。
【請求項２】
旅行ケースの外周面に着脱自在に装着するためのネットベルトであって、本体がシート状の弾性ネットからなり、該弾性ネットを旅行ケースの外周面に巻きつけ、該弾性ネットの両端を止着具にて互いに着脱自在に接続可能としたことを特徴とする旅行ケース用伸縮性ネットベルト。
【請求項３】
前記弾性ネットは、伸縮性の弾性紐をネット状に編成したものである請求項１または２に記載の伸縮性ネットベルト。
【請求項４】
前記弾性ネットは、伸縮性を有する２本の弾性紐と、これら２本の弾性紐間に両端部が保持され伸縮性または非伸縮性の紐を網状に編成したネット本体とからなる請求項１または２に記載の伸縮性ネットベルト。
【請求項５】
前記弾性ネットは、単一色による着色または複数色による模様が施されていることを特徴とする請求項１〜４のいずれかに記載の伸縮性ネットベルト。
【考案の詳細な説明】
【技術分野】
【０００１】
本考案は、旅行用のスーツケース、キャリーバッグ、ボストンバック、リュックサックなどの旅行ケースの外周面に着脱自在に装着するための伸縮性ネットベルトに関する。
【背景技術】
【０００２】
飛行機で長距離を旅行する場合、例えばハードタイプのスーツケースでは、スーツケースの飛行機への積み込みや積み下ろしに乱暴に取り扱われて、スーツケースの扉が破損するおそれがある。また、荷物受取所でベルト上を搬送されてくる多数のスーツケースから自分のスーツケースを簡単に見つける（識別する）ことができるように、スーツケースに目印を付けておくのが便利である。
【０００３】
そこで、従来から、幅広でカラフルな模様をつけたベルトをスーツケースの外周に装着することが行われている（例えば特許文献１，２を参照）。しかし、ベルトは、一度装着すると、取り外しが煩雑であるため、ベルトに雑誌などを挟むのは面倒である。また、ベルトは鋭利な刃物で切断されやすいため、ケース内の収納物の盗難防止にも不十分である。さらに、近年人気のある布製のソフトバッグに、上記ベルトをしっかりと装着するのは困難である。
【特許文献１】実開平５‐１５８３２７号公報
【特許文献１】特開２００７−４４０６６号公報
【考案の開示】
【考案が解決しようとする課題】
【０００４】
本考案の課題は、布製のソフトバッグにも簡単に着脱でき、取り扱いが容易であると共に、雑誌などを簡単に保持させることができ、しかもケースが開けられて収納物が盗まれるのを抑止する効果が見込めると共に、目印効果（他のケースと識別する効果）にも優れる旅行ケース用伸縮性ネットベルトを提供することである。
【課題を解決するための手段】
【０００５】
本考案に係る旅行ケース用伸縮性ネットベルトは、旅行ケースの外周面に着脱自在に装着するためのネットベルトであって、筒状に形成された弾性ネットから構成されていることを特徴とする。
【０００６】
本考案に係る他の旅行ケース用伸縮性ネットベルトは、旅行ケースの外周面に着脱自在に装着するためのネットベルトであって、本体が弾性ネットからなり、該弾性ネットを旅行ケースの外周面に巻きつけ、該弾性ネットの両端を止着具にて互いに着脱自在に接続可能としたことを特徴とする。
【０００７】
前記弾性ネットは、単一色による着色または複数色による模様が施されているのが好ましい。
【考案の効果】
【０００８】
本考案の伸縮性ネットベルトは、筒状に形成された弾性ネットから構成されているので、旅行ケースへの着脱が容易であり、またその伸縮性を利用して雑誌なども簡単に保持させることができる。さらに、ネットであるため、ネットを構成する多数本の紐を短時間に全て切断するのは困難であるため、ネットを切断しケースを開けて収納物が盗まれるのを抑止する効果が見込める。
【０００９】
また、本考案の他の伸縮性ネットベルトは、本体がシート状の弾性ネットからなり、該弾性ネットを旅行ケースの外周面に巻きつけ、該弾性ネットの両端を止着具にて互いに着脱自在に接続可能としたものであるので、旅行ケースへの着脱が容易であり、またその伸縮性を利用して雑誌なども簡単に保持させることができる。
さらに、本考案では、弾性ネットに色や模様を付ければ、旅行ケースの目印効果にも優れる。
【考案を実施するための最良の形態】
【００１０】
（第１の実施形態）
本考案の第１の実施形態に係るネットベルトを図１に基づいて説明する。図１において、１はスーツケースであり、上部および必要に応じて側面に取っ手2が取り付けられている。このスーツケース１の外周面には、伸縮性ネットベルト５が装着されている。
【００１１】
伸縮性ネットベルト５は、筒状に形成された弾性ネット３から構成されている。この弾性ネット３は、例えばゴム紐などの弾性紐４を編成して形成されており、それぞれの交差部で弾性紐４，４同士を結び合わせている。また、交差部で弾性紐４，４同志を接着してもよい。このような結び目または接着によってネットベルト５が構成されているので、弾性紐４の一部をナイフなどで切断しても、ネットベルト５を簡単にケース１から取り外すことができず、多数本の紐を短時間に全て切断しなければならないため、防犯性を高めることができる。
【００１２】
筒状に形成された弾性ネット３の周長(すなわち筒口の径)は、使用するスーツケース１の大きさに応じて適宜設定されるものであるが、一般には、使用するスーツケース１の全外周長よりもできる限り小さいものが好ましい。
【００１３】
伸縮性ネットベルト５をスーツケース１の外周面に装着するには、該伸縮性ネットベルト５の筒口を大きく開いて、スーツケース１に外挿すればよい。その際、伸縮性ネットベルト５を形成する弾性ネット３は、例えばゴム紐などの弾性紐４から形成されているので、弾性ネット３の網目を広げて、スーツケース１の取っ手２等の突起物を外に出すことができる。
【００１４】
弾性ネット３を形成する弾性紐４は、１色による着色または２色以上の色彩による模様が付けられている。これによりスーツケース１の目印になり、多数のスーツケースから自分のスーツケース１を簡単に識別できるようになる。
【００１５】
この実施形態のネットベルト5は、以上のように構成されているので、伸縮性を利用して筒口を広げ、スーツケース１の外周面に簡単に装着することができる。そして、装着後は、ループ紐３，３の伸縮性を利用して雑誌、新聞などの小物６も簡単に保持させることができる。
（第２の実施形態）
【００１６】
本考案の第２の実施形態に係るネットベルトを図２および図３に基づいて説明する。図２に示すように、この実施形態に係るネットベルト１５は、２本の弾性紐１３，１３と、これら２本の弾性紐１３，１３間に両端部が保持されたネット本体１４とからなる弾性ネット１６と、この弾性ネット１６をスーツケース１の外周面に巻きつけた状態で、弾性ネット１６の両端を互いに着脱自在に接続する止着具１７とを備える。
【００１７】
弾性紐１３，１３は、例えばゴム紐などの伸縮性部材で形成されている。ネット本体１４は、紐を網状（ネット状）に多数交差させて編成したものであって、両端が前記弾性ループ紐１３，１３で折り返すように構成されている。これによって、筒状のネット本体１４の両端部に弾性ループ紐１３，１３を保持すると共に、弾性ループ紐１３，１３の伸縮にネット本体１４が追従できるようにしている。
【００１８】
ネット本体１４を構成する紐は、弾性ループ紐１３，１３と同様にゴムなどの伸縮性を有する弾性材から構成してもよく、これによりネット本体１４の網目を広げて、スーツケース１の取っ手２を外に出すことができる。しかし、取り扱いに支障がない限りにおいて、ネット本体１４として、綿、絹、麻等の天然繊維や、アクリル繊維、ナイロン繊維、ビニロン繊維、アセテート繊維などの合成ないし半合成繊維、カーボン繊維などの繊維から作られた非伸縮性の紐を網状（ネット状）に編成したものを使用してもよい。
【００１９】
ネット本体１４を構成する紐同士は、その交差部において結び目（紐同士を結び合わせる）または接着を形成してあるのがよい。また、ネット本体１４を構成する紐は１色による着色または２色以上の色彩による模様が付けられている。２本の弾性ループ紐１３，１３も同様に着色または模様付けされていてもよい。
【００２０】
前記弾性ネット１６は、筒上ではなく、シート状である。そして、その両端には、それぞれ一対の止着具１７，１７が取り付けられている。この止着具１７，１７は図３（a）に示すように、それぞれの係止部１８，１８同士を係止させて、弾性ネット１６の両端を接続する。
【００２１】
使用に際しては、２本の弾性紐１３，１３を利用して弾性ネット１６を伸ばして、スーツケース１の外周面に巻きつけ、止着具１７，１７によってネット１６の両端を接続するので、スーツケース１への着脱が容易であり、またその伸縮性を利用して雑誌などの小物１６も簡単に保持させることができる。
【００２２】
その他は、前述の実施形態と同じである。なお、本考案における止着具は、図３（a）に示す止着具１７，１７に限定されるものではなく、例えば同図（ｂ）に示すようなＳ字形の係止具１７′などを用いてもよい。
また、第１の実施形態で使用した弾性ネット３のネット自体は、第２の実施形態で使用した弾性ネット１６と同じ構成のものであってもよく、逆に、第２の実施形態で使用した弾性ネット１６のネット自体は、第１の実施形態で使用した弾性ネット３と同じ構成のものであってもよい。
【図面の簡単な説明】
【００２３】
【図１】本考案の第１の実施形態に係る伸縮性ネットベルトの使用状態を示す概略斜視図である。
【図２】本考案の第２の実施形態に係る伸縮性ネットベルトの使用状態を示す概略斜視図である。
【図３】第２の実施形態で使用される止着具の例を示す部分斜視図である。
【符号の説明】
【００２４】
１    スーツケース（旅行ケース）
２    取っ手
３    弾性ネット
４    弾性紐
５    伸縮性ネットベルト
１３    弾性紐
１４    ネット本体
１５    伸縮性ネットベルト
１６    弾性ネット  
【図１】
0003138714.tif 000003
【図２】
0003138714.tif 000004
【図３】
0003138714.tif 000005